(57)【要約】【課題】演出制御手段側で遊技制御手段から送信されてくる情報を受信し、その情報に基づいて演出を出力する場合に、演出の信頼度を高める。【解決手段】遊技制御手段６０ａは、役の抽選結果に対応する抽選情報と、特別役の当選が維持されているか否かの遊技状態情報とを演出制御手段６０ｂに送信する。ここで、特別役に当選しなかったときでも特別役の当選に該当する抽選情報を選択する場合があり、特別役の当選が維持されていないときでも特別役の当選が維持されている旨の遊技状態情報を選択する場合がある。演出制御手段６０ｂは、特別役の当選に該当する抽選情報及び特別役の当選が維持されていない旨の遊技状態情報を受信したときは、遊技状態情報に基づいて演出を決定し、特別役の当選に該当しない抽選情報及び特別役の当選が維持されている旨の遊技状態情報を受信したときは、抽選情報に基づいて演出を決定する。【選択図】図１
2006122487.tif 000002
【特許請求の範囲】
【請求項１】
遊技の進行を制御する遊技制御手段と、
遊技の進行に伴って出力する演出を制御する演出制御手段とを備え、
前記遊技制御手段は、
特別遊技に移行するための特別役を含む役の抽選を行う役抽選手段と、
前記役抽選手段で特別役に当選したときは、特別役に対応する図柄の組合せが有効ラインに停止するまでの遊技において特別役の当選を維持する特別役当選維持手段と、
前記役抽選手段による役の抽選結果に対応する抽選情報を選択する抽選情報選択手段と、
前記特別役当選維持手段により特別役の当選が維持されているか否かの遊技状態情報を選択する遊技状態情報選択手段と、
前記抽選情報選択手段で選択された抽選情報、及び前記遊技状態情報選択手段で選択された遊技状態情報をそれぞれ前記演出制御手段に送信する情報送信手段とを備え、
前記演出制御手段は、
前記情報送信手段により送信された抽選情報及び遊技状態情報を受信する情報受信手段と、
前記情報受信手段で受信した抽選情報及び遊技状態情報に基づいて演出を決定する演出決定手段と、
前記演出決定手段で決定された演出を出力する演出出力手段とを備え、
前記抽選情報選択手段は、特別役に当選しなかったときであっても特別役の当選に該当する抽選情報を選択する場合があるとともに、特別役に当選しなかったときは、特別役の当選に該当しない抽選情報を特別役の当選に該当する抽選情報よりも高い確率で選択し、
前記遊技状態情報選択手段は、前記特別役当選維持手段により特別役の当選が維持されていないときであっても特別役の当選が維持されている旨の遊技状態情報を選択する場合があるとともに、前記特別役当選維持手段により特別役の当選が維持されていないときは、特別役の当選が維持されていない旨の遊技状態情報を特別役の当選が維持されている旨の遊技状態情報よりも高い確率で選択し、
前記演出決定手段は、特別役の当選に該当する抽選情報及び特別役の当選が維持されていない旨の遊技状態情報を受信したときは、遊技状態情報に基づいて演出を決定し、特別役の当選に該当しない抽選情報及び特別役の当選が維持されている旨の遊技状態情報を受信したときは、抽選情報に基づいて演出を決定する
ことを特徴とするスロットマシン。
【請求項２】
請求項１に記載のスロットマシンにおいて、
前記抽選情報選択手段は、前記役抽選手段で特別役に当選したときは、常に、特別役の当選に該当する抽選情報を選択する
ことを特徴とするスロットマシン。
【請求項３】
請求項１又は請求項２に記載のスロットマシンにおいて、
前記遊技状態情報選択手段は、前記特別役当選維持手段により特別役の当選が維持されているときは、常に、特別役の当選が維持されている旨の遊技状態情報を選択する
ことを特徴とするスロットマシン。
【請求項４】
請求項１から請求項３までのいずれか１項に記載のスロットマシンにおいて、
前記演出決定手段は、特別役の当選に該当する抽選情報及び特別役の当選が維持されている旨の遊技状態情報を受信したときのみ、特別役の当選に対応するように演出を決定する
ことを特徴とするスロットマシン。
【発明の詳細な説明】
【技術分野】
【０００１】
本発明は、出力する演出の信頼度を高めたスロットマシンに関するものである。
【背景技術】
【０００２】
従来のスロットマシンにおいて、遊技制御手段（メイン制御手段）側で役の抽選が行われた後、抽選結果情報を演出制御手段（サブ制御手段）側に送信し、演出制御手段は、その情報に基づいて演出を決定するようにしたスロットマシンが知られている（例えば、特許文献１参照）。
【特許文献１】特開２００３−２１０６５６号公報
【発明の開示】
【発明が解決しようとする課題】
【０００３】
しかし、前述の従来の技術では、遊技制御手段から演出制御手段に送信される情報は、１００％の信頼性を有するものではない。このため、演出制御手段は、稀にであるが、当選役と異なる（当選役に対応しない）演出を出力してしまう場合があるという問題があった。
【０００４】
したがって、本発明が解決しようとする課題は、演出制御手段側で遊技制御手段から送信されてくる情報を受信し、その情報に基づいて演出を出力する場合に、演出の信頼度を高めることである。
【課題を解決するための手段】
【０００５】
本発明は、以下の解決手段によって、上述の課題を解決する。
（請求項１）
請求項１の発明は、遊技の進行を制御する遊技制御手段と、遊技の進行に伴って出力する演出を制御する演出制御手段とを備え、前記遊技制御手段は、特別遊技に移行するための特別役を含む役の抽選を行う役抽選手段と、前記役抽選手段で特別役に当選したときは、特別役に対応する図柄の組合せが有効ラインに停止するまでの遊技において特別役の当選を維持する特別役当選維持手段と、前記役抽選手段による役の抽選結果に対応する抽選情報を選択する抽選情報選択手段と、前記特別役当選維持手段により特別役の当選が維持されているか否かの遊技状態情報を選択する遊技状態情報選択手段と、前記抽選情報選択手段で選択された抽選情報、及び前記遊技状態情報選択手段で選択された遊技状態情報をそれぞれ前記演出制御手段に送信する情報送信手段とを備え、前記演出制御手段は、前記情報送信手段により送信された抽選情報及び遊技状態情報を受信する情報受信手段と、前記情報受信手段で受信した抽選情報及び遊技状態情報に基づいて演出を決定する演出決定手段と、前記演出決定手段で決定された演出を出力する演出出力手段とを備え、前記抽選情報選択手段は、特別役に当選しなかったときであっても特別役の当選に該当する抽選情報を選択する場合があるとともに、特別役に当選しなかったときは、特別役の当選に該当しない抽選情報を特別役の当選に該当する抽選情報よりも高い確率で選択し、前記遊技状態情報選択手段は、前記特別役当選維持手段により特別役の当選が維持されていないときであっても特別役の当選が維持されている旨の遊技状態情報を選択する場合があるとともに、前記特別役当選維持手段により特別役の当選が維持されていないときは、特別役の当選が維持されていない旨の遊技状態情報を特別役の当選が維持されている旨の遊技状態情報よりも高い確率で選択し、前記演出決定手段は、特別役の当選に該当する抽選情報及び特別役の当選が維持されていない旨の遊技状態情報を受信したときは、遊技状態情報に基づいて演出を決定し、特別役の当選に該当しない抽選情報及び特別役の当選が維持されている旨の遊技状態情報を受信したときは、抽選情報に基づいて演出を決定することを特徴とする。
【０００６】
請求項１の発明においては、遊技制御手段側では、抽選情報と遊技状態情報とが選択される。ここで、特別役に当選しなかったときであっても特別役の当選に該当する抽選情報が選択される場合がある。また、特別役の当選が維持されていないときであっても特別役の当選が維持されている旨の遊技状態情報が選択される場合がある。そして、選択されたこれらの情報は、演出制御手段に送信される。演出制御手段側では、受信したこれらの情報に基づいて演出を決定する。
【０００７】
ここで、特別役の当選に該当する抽選情報及び特別役の当選が維持されていない旨の遊技状態情報を受信する場合があるが、この場合は、特別役の当選が維持されていない旨の遊技状態情報に基づいて演出が決定される。また、特別役の当選に該当しない抽選情報及び特別役の当選が維持されている旨の遊技状態情報を受信する場合があるが、この場合は、特別役の当選に該当しない抽選情報に基づいて演出が決定される。
このようにして、信頼性の高い方の情報を優先して演出を決定することで、演出の信頼度を高めることができる。
【０００８】
なお、特別役に当選すると、特別役に対応する図柄の組合せが有効ラインに停止するまでの遊技で、毎遊技、特別役の当選が維持されている旨の情報が選択され、演出制御手段に送信される。そして、本発明における「特別役の当選に該当しない抽選情報及び特別役の当選が維持されている旨の遊技状態情報を受信したときは、抽選情報に基づいて演出を決定する」というのは、特別役の当選が維持されている旨の遊技状態情報を、当該遊技以前には受信せずに当該遊技で初めて受信した場合のことを意味する。したがって、上記のように、実際に特別役に当選し、特別役に対応する図柄の組合せが有効ラインに停止するまで、毎遊技、特別役の当選が維持されている旨の遊技状態情報を受信する場合を含まないものである。
【０００９】
（請求項２）
請求項２の発明は、請求項１に記載のスロットマシンにおいて、前記抽選情報選択手段は、前記役抽選手段で特別役に当選したときは、常に、特別役の当選に該当する抽選情報を選択することを特徴とする。
【００１０】
請求項２の発明においては、特別役に当選したときは、常に特別役の当選に該当する抽選情報が選択されるので、特別役当選時に選択される抽選情報の信頼度を高めることができる。
【００１１】
（請求項３）
請求項３の発明は、請求項１又は請求項２に記載のスロットマシンにおいて、前記遊技状態情報選択手段は、前記特別役当選維持手段により特別役の当選が維持されているときは、常に、特別役の当選が維持されている旨の遊技状態情報を選択することを特徴とする。
【００１２】
請求項３の発明においては、特別役の当選が維持されているときは、常に特別役の当選が維持されている旨の遊技状態情報が選択されるので、特別役の当選が維持されているときに選択される遊技状態情報の信頼度を高めることができる。
【００１３】
（請求項４）
請求項４の発明は、請求項１から請求項３までのいずれか１項に記載のスロットマシンにおいて、前記演出決定手段は、特別役の当選に該当する抽選情報及び特別役の当選が維持されている旨の遊技状態情報を受信したときのみ、特別役の当選に対応するように演出を決定することを特徴とする。
【００１４】
請求項４の発明においては、特別役の当選に該当する抽選情報と、特別役の当選が維持されている旨の遊技状態情報との双方を受信したときに、特別役の当選に対応する演出が出力される。したがって、特別役の当選に対応する演出の信頼度を高めることができる。
【発明の効果】
【００１５】
（請求項１）
請求項１の発明によれば、信頼性の高い方の情報を優先して演出を決定することで、演出の信頼度を高めることができる。また、特別役に当選していないが特別役に当選している場合の演出に決定されてしまう確率を極めて低くすることができる。
【００１６】
（請求項２）
請求項２の発明によれば、特別役当選時に選択される抽選情報の信頼度を高めることができる。
（請求項３）
請求項３の発明によれば、特別役の当選が維持されているときに選択される遊技状態情報の信頼度を高めることができる。
（請求項４）
請求項４の発明によれば、特別役の当選に対応する演出の信頼度を高めることができる。
【発明を実施するための最良の形態】
【００１７】
以下、図面等を参照して、本発明の一実施形態について説明する。図１は、本実施形態におけるスロットマシン１０の制御の概略を示すブロック図である。
（遊技制御手段、演出制御手段）
スロットマシン１０は、役の抽選、リール３１の駆動制御、及び入賞時の払出し等の遊技の進行を制御する遊技制御手段（メイン制御手段）６０ａと、演出の出力を制御する演出制御手段（サブ制御手段）６０ｂとを備える。
【００１８】
遊技制御手段６０ａ及び演出制御手段６０ｂは、それぞれ、別個の制御基板上に設けられており、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。そして、遊技制御手段６０ａと演出制御手段６０ｂとは、電気的に接続されている。
【００１９】
（ベットスイッチ、スタートスイッチ、ストップスイッチ、）
図１に示すように、メイン制御手段６０ａの入力側（図１中、左側）には、ベットスイッチ４０、スタートスイッチ４１及びストップスイッチ４２が電気的に接続されている。
ベットスイッチ４０は、遊技者が貯留メダルを投入するときに操作するスイッチであって、その操作によって有効ラインが有効化されるスイッチである。なお、図１では、メダル投入口を図示していないが、メダル投入口は、ベットスイッチ４０と同様に、有効ラインを有効化するために実際のメダルを投入する部分であり、メダル投入口からのメダルの投入は、ベットスイッチ４０の操作に含まれるものである。
【００２０】
また、スタートスイッチ４１は、リール３１を始動させるときに遊技者が操作するスイッチである。
さらにまた、ストップスイッチ４２は、３つのリール３１に対応して３つ設けられ、対応するリール３１を停止させるときに遊技者が操作するスイッチである。
【００２１】
（モータ、リール）
遊技制御手段６０ａの出力側（図１中、右側）には、以下に示すモータ３２等の周辺機器が電気的に接続されている。
モータ３２は、リール３１を回転させるためのものであり、リール３１の回転中心部に連結され、遊技制御手段６０ａによって制御される。
リール３１は、リング状のものであって、その外周面には複数種類の図柄（後述する、役を構成する図柄等）を印刷したリールテープを貼付したものである。
【００２２】
リール３１は、本実施形態では並列に３つ設けられている。また、各リール３１は、スロットマシン１０のフロントパネルに設けられた表示窓（図示せず）から、上下に連続する３図柄が見えるように配置されている。よって、スロットマシン１０の表示窓から、合計９個の図柄が見えるように配置されている。
【００２３】
そして、スタートスイッチ４１が操作されると、そのときに発生する信号が遊技制御手段６０ａに入力される。遊技制御手段６０ａは、この信号を受信すると、全てのモータ３２を駆動制御して、全てのリール３１を回転させるように制御する。このようにしてリール３１がモータ３２によって回転されることで、リール３１上の図柄は、所定の速度で表示窓内で上下方向に移動表示される。
【００２４】
また、ストップスイッチ４２が操作されると、そのときに発生する信号が遊技制御手段６０ａに入力される。遊技制御手段６０ａ（具体的には、後述するリール停止制御手段６４）は、この信号を受信すると、そのストップスイッチ４２に対応するモータ３２を駆動制御して、そのモータ３２に係るリール３１の停止制御を行う。
【００２５】
ここで、本実施形態では、リール３１は、左、中、右の３つが設けられており、これに対応して、ストップスイッチ４２は、左、中、右の３つが設けられている。すなわち、左ストップスイッチ４２に対応するリール３１は左リール３１であり、中ストップスイッチ４２に対応するリール３１は中リール３１であり、右ストップスイッチ４２に対応するリール３１は右リール３１である。
【００２６】
また、遊技制御手段６０ａは、スタートスイッチ４１が操作された旨の信号を受信した後、所定時間だけ遅延させて、スタートスイッチ４１が操作された旨の信号を演出制御手段６０ｂに送信するように制御する。
特に本実施形態では、ソフトウェア乱数等によってランダムに、０〜３９ｍｓの範囲で遅延時間を決定し、決定された遅延時間の経過後に、スタートスイッチ４１が操作された旨の信号が演出制御手段６０ｂに送信されるようにする。
【００２７】
なお、スタートスイッチ４１が操作された旨の信号に限らず、ストップスイッチ４２が操作された旨の信号等、遊技制御手段６０ａから演出制御手段６０ｂに送信する全ての信号に対して、上記のように遅延時間を設けている。
【００２８】
（ランプ、スピーカ、画像表示装置）
さらにまた、演出制御手段６０ｂの出力側（図１中、右側）には、演出制御手段６０ｂによって制御されるランプ２１、スピーカ２２、及び画像表示装置２３等の演出出力機器が電気的に接続されている。
【００２９】
ランプ２１は、スロットマシン１０の演出用のランプであり、所定の条件を満たしたときに、それぞれ所定のパターンで点灯する。なお、ランプ２１には、各リール３１の内周側に固定されたバックランプ（図示せず）や、スロットマシン１０の筐体前面に配置され、役の入賞時等に点滅する上部ランプやサイドランプ等（図示せず）が含まれる。
また、スピーカ２２は、遊技中に各種の演出を行うべく、所定の条件を満たしたときに、所定のサウンドを出力するものである。
さらにまた、画像表示装置２３は、液晶画像表示装置やドットディスプレイ等からなるものであり、遊技中に各種の演出画像や所定の情報等を表示するものである。
【００３０】
遊技の開始時には、遊技者は、ベットスイッチ４０を操作して予め貯留されたメダルを投入するか、又はメダル投入口からメダルを投入して有効ラインを設定するとともに、スタートスイッチ４１をオンする。スタートスイッチ４１がオンされることで有効ライン数が確定するとともに、全リール３１が始動（回転が開始）される。
【００３１】
そして、遊技者は各ストップスイッチ４２を押すことで各リール３１の回転を停止させる。全てのリール３１の停止時に、有効ライン上のリール３１の図柄の組合せが予め定められた何れかの役の図柄の組合せと一致し、その役の入賞となったときは、成立役に応じてメダルの払出し等が行われる。
【００３２】
（図柄組合せライン、有効ライン）
図示しないが、スロットマシン１０の表示窓を含む部分には、図柄組合せライン（有効ライン）が設けられている。
ここで、「図柄組合せライン」とは、リール３１の停止時における図柄の並びラインであって図柄の組合せを形成させるラインである。本実施形態では、水平方向の中段、上段及び下段にそれぞれ設けられたラインと、右下がり及び左下がりの斜め方向の各ラインの合計５本から構成されている。そして、各リール３１の上下に連続する３図柄は、それぞれ１以上の図柄組合せライン上に位置している。
【００３３】
さらに、５本の図柄組合せラインのうち、遊技者によって投入又は設定操作されたメダル枚数に応じて、図柄組合せラインの中から、有効ラインと無効ラインとが設定される。  ここで、「有効ライン」とは、本実施形態では、いずれかの役に対応する図柄の組合せがそのラインに停止したときに、その役の入賞となるラインである。
【００３４】
一方、「無効ライン」とは、メダル投入枚数が１枚又は２枚のときに生じ、図柄組合せラインのうち、有効ラインとして設定されないラインであって、いずれかの役に対応する図柄の組合せがそのラインに停止した場合であっても、その役に応じた利益の付与（メダルの払出し等）を行わないラインである。すなわち、無効ラインは、そもそも図柄の組合せの成立対象となっていないラインである。
【００３５】
また、１遊技でのメダル投入枚数は、１枚〜３枚の中から遊技者が選択可能である。そして、メダル投入枚数が１枚であるときには、水平方向中段の図柄組合せライン（１本）が有効ラインに設定されるとともに残りの４本の図柄組合せラインが無効ラインに設定される。また、メダル投入枚数が２枚であるときには、水平方向中段、上段及び下段の図柄組合せライン（合計３本）が有効ラインに設定されるとともに他の２本の図柄組合せラインが無効ラインに設定される。さらにまた、メダル投入枚数が３枚であるときには、全ての図柄組合せライン（合計５本）が有効ラインに設定され、無効ラインは存在しない。
【００３６】
（役）
図２は、本実施形態における役の種類、当選確率、図柄の組合せ及び払出し枚数等を示す図である。本実施形態における役の種類としては、特別役、小役、リプレイ、移行役及び所定役が設けられている。
特別役とは、特別遊技（通常遊技以上にメダルの獲得が期待できる、遊技者にとって有利となる遊技）を実行させるための役である。図２に示すように、本実施形態では、特別役として、ＢＢ（ビックボーナス）及びＲＢ（レギュラーボーナス）が設けられている。
【００３７】
ＢＢは、特別遊技の１つであるＢＢ遊技に移行させる役であり、ＲＢは、特別遊技の他の１つであるＲＢ遊技に移行させる役である。特別遊技は、通常遊技以上にメダル獲得枚数期待値の大きい遊技である。
なお、他の特別役としては、ＳＢ（シングルボーナス）が挙げられるが、本実施形態ではＢＢ及びＲＢのみが設けられており、ＳＢは設けていない。
【００３８】
また、小役とは、予め定められた枚数のメダルが払い出される役であり、本実施形態では、小役１〜小役３の３種類が設けられている。さらにまた、図２に示すように、小役１〜小役３ごとに（小役の種類に応じて）、図柄の組合せやメダルの払出し枚数が異なるように設定されている。
さらに、リプレイとは、再遊技役であって、当該遊技でのメダルの投入枚数（ベット枚数）を維持した再遊技を行うことができるようにした役である。
【００３９】
また、役は、遊技状態（通常遊技中（内部中／非内部中）、及び特別遊技中）ごとに、それぞれ定められている。
ここで、通常遊技には、非内部中及び内部中と称する概念が設けられている。非内部中とは、特別役に当選していない遊技状態をいう。これに対し、内部中とは、当該遊技又はそれ以前の遊技において特別役に当選しているが、当選した特別役に対応する図柄の組合せが有効ラインに停止していない（入賞していない）遊技状態をいう。
【００４０】
本実施形態では、通常遊技中（非内部中）の役として、特別役（ＢＢ及びＲＢ）、３種類の小役（小役１、小役２及び小役３）、及びリプレイが設けられている。
一方、通常遊技中（内部中）の役は、上記の非内部中の通常遊技中の役から、特別役を除いた役である。すなわち、通常遊技において、非内部中は特別役の抽選が行われるが、特別役に当選して内部中になったときは、特別役の抽選は行われない。
【００４１】
さらにまた、ＢＢ遊技中やＲＢ遊技中は、それぞれ特有の役が設けられている。ＢＢ遊技には、第１遊技と第２遊技とが設けられており、図２に示すように、ＢＢ遊技の第１遊技中の役として、３種類の小役（小役１、小役２及び小役３）及び移行役が設けられている。ここで、移行役とは、ＢＢ遊技において、第１遊技から第２遊技に移行させるための役である。すなわち、ＢＢ遊技の第１遊技中に移行役が入賞すると、第１遊技から第２遊技に移行する。
さらに、ＢＢ遊技の第２遊技中、及びＲＢ遊技中の役として、所定役が設けられている。所定役は、小役と同様に、所定枚数（本実施形態では１５枚）のメダルが払い出される役である。
【００４２】
遊技制御手段６０ａは、以下の役抽選手段６１等を備える。また、演出制御手段６０ｂは、以下の抽選情報受信手段８１等を備える。なお、本実施形態における以下の各手段は例示であり、遊技制御手段６０は、本実施形態で示した手段に限定されるものではない。
【００４３】
（役抽選手段）
役抽選手段６１は、役（上述した特別役、小役又はリプレイ等）の抽選を行うものである。役抽選手段６１は、例えば、役抽選用の乱数発生手段（ハードウェア乱数等）と、この乱数発生手段が発生する乱数を抽出する乱数抽出手段と、乱数抽出手段が抽出した乱数値に基づいて、役の当選の有無及び当選役を判定する判定手段とを備えている。
【００４４】
役抽選手段６１の乱数発生手段は、所定の領域（例えば１０進法で０〜６５５３５）の乱数を発生させる。乱数抽出手段は、乱数発生手段によって発生した乱数を、所定の時、本実施形態では遊技者によりスタートスイッチ４１がオンされた時に抽出する。判定手段は、乱数抽出手段により抽出された乱数値を、後述する役抽選テーブル６２と照合することにより、その乱数値が属する領域に対応する役を決定する。例えば、抽出した乱数値がＢＢ当選領域に属する場合は、ＢＢの当選と判定し、非当選領域に属する場合は、非当選と判定する。
【００４５】
役抽選手段６１は、図２に示すように、例えば通常遊技中（非内部中）では、２種類の特別役（ＢＢ及びＲＢ）、３種類の小役（小役１〜小役３）、リプレイ及び非当選の中から、抽出した乱数値に基づいて、当選役あるいは非当選を判定する。
【００４６】
（役抽選テーブル）
役抽選テーブル６２は、抽選される役の種類と、各役の当選確率とを定めたものである。また、役抽選テーブル６２は、遊技状態（通常遊技（非内部中／内部中）、特別遊技）ごとに、特有の役抽選テーブル６２を備えている。
【００４７】
各役抽選テーブル６２は、それぞれ所定の範囲の抽選領域を有するとともに、この抽選領域は、各役の当選領域及び非当選領域に分けられているとともに、例えば通常遊技（非内部中）では、図２に示すように、抽選される役が、予め設定された当選確率となるように所定の割合に設定されている。
【００４８】
なお、図示しないが、各役の当選領域及び非当選領域は、メダルの投入枚数（１〜３枚）ごと、及び出玉率の設定値ごとに定められており、図２に示す各役の当選確率は、メダルの投入枚数及び出玉率の設定値が定められた１つの例を挙げている。
【００４９】
（特別役当選維持手段）
特別役当選維持手段６３は、役抽選手段６１で特別役に当選したときに、特別役に対応する図柄の組合せが有効ラインに停止するまで（特別役が入賞するまで）の遊技において、特別役の当選を維持する（当該遊技で特別役が入賞しなかったときは、特別役の当選を次遊技以降に持ち越す）ように制御するものである。
【００５０】
ここで、役に当選した遊技でその役に対応する図柄の組合せが有効ラインに停止しなかったときは、次遊技以降に持ち越される役と、持ち越されない役とが定められている。
そして、本実施形態において持ち越される役として、特別役（ＢＢ及びＲＢ）が設けられている。役抽選手段６１による役の抽選において特別役に当選したときは、その特別役に対応する図柄の組合せが有効ラインに停止し、その特別役の入賞となるまでの遊技において、その特別役の当選が持ち越される（維持される）。
また、図示しないが、特別役の当選が持ち越されるときは、特別役に係る当選フラグがオンにされ、そのオンの状態は、特別役が入賞するまで維持されるとともに、その特別役が入賞したときに、その当選フラグがオンからオフにされる。
【００５１】
これに対し、役抽選手段６１による役の抽選において、特別役以外の役に当選したときは、当該遊技でのみその当選役が有効となり、その当選は次遊技以降に持ち越されない。すなわち、これらの役に当選した遊技では、その当選した役が入賞可能なようにリール３１が停止制御されるが、その当選役の入賞の有無にかかわらず、その遊技の終了時に、その当選役に係る権利は消滅する。なお、この場合には、その役に当選した遊技でのみ、その役に係る当選フラグがオンにされ、当該遊技の終了時に、その当選フラグがオフにされる。
【００５２】
（リール停止制御手段）
リール停止制御手段６４は、ストップスイッチ４２が操作されたときに、役抽選手段６１による役の抽選結果と、ストップスイッチ４２が操作されたときのタイミングとに基づいて、後述する停止位置決定テーブル６５を参照してそのストップスイッチ４２に対応するリール３１の停止位置を決定するとともに、モータ３２を駆動制御して、その決定した位置にそのリール３１を停止させるように制御するものである。
【００５３】
（停止位置決定テーブル）
停止位置決定テーブル６５は、ストップスイッチ４２が操作された瞬間のリール３１の位置に基づいて、リール３１の停止位置（リール３１の停止時における有効ライン上の図柄）を定めたものである。
【００５４】
停止位置決定テーブル６５は、特別役であるＢＢ又はＲＢの当選時にそれぞれ用いられるＢＢテーブル又はＲＢテーブル、小役１〜小役３のそれぞれの当選時に用いられる小役１テーブル、小役２テーブル又は小役３テーブル、リプレイの当選時に用いられるリプレイテーブル、移行役の当選時に用いられる移行役テーブル、所定役の当選時に用いられる所定役テーブル、及び非当選時に用いられる非当選テーブルを備える。
【００５５】
ＢＢテーブルは、当該遊技でＢＢに当選したこと、又は当該遊技以前の遊技でＢＢに当選し、かつ当該遊技では非当選であることを条件として用いられ、リール３１の停止制御の範囲内においてＢＢに対応する図柄の組合せを有効ラインに停止させるとともに、ＢＢ以外の役に対応する図柄の組合せを有効ラインに停止させないように、リール３１の停止時の図柄の組合せを定めたものである。
【００５６】
ここで、停止位置決定テーブル６５における「リール３１の停止制御の範囲内」とは、ストップスイッチ４２が操作された瞬間から実際にリール３１が停止するまでのリール３１の移動量（回転量）を意味し、特に本実施形態では、ストップスイッチ４２が操作された時（瞬間）からリール３１を停止させるまでのリール３１の移動制御量が５図柄以内、又はストップスイッチ４２が操作された時（瞬間）からリール３１を停止させるまでの停止制御時間が１９０ｍｓ以内である。
【００５７】
また、ＲＢテーブルは、当該遊技でＲＢに当選したこと、又は当該遊技以前の遊技でＲＢに当選し、かつ当該遊技では非当選であることを条件として用いられ、リール３１の停止制御の範囲内においてＲＢに対応する図柄の組合せを有効ラインに停止させるとともに、ＲＢ以外の役に対応する図柄の組合せを有効ラインに停止させないように、リール３１の停止時の図柄の組合せを定めたものである。
【００５８】
さらにまた、小役１テーブル、小役２テーブル又は小役３テーブルは、それぞれ、当該遊技で小役１、小役２又は小役３に当選したことを条件として用いられ、リール３１の停止制御の範囲内においてそれぞれ小役１、小役２又は小役３に対応する図柄の組合せを有効ラインに停止させるとともに、それぞれ小役１、小役２又は小役３以外の役に対応する図柄の組合せを有効ラインに停止させないように、リール３１の停止時の図柄の組合せを定めたものである。
【００５９】
さらに、リプレイテーブルは、当該遊技でリプレイに当選したことを条件として用いられ、リール３１の停止制御の範囲内においてリプレイに対応する図柄の組合せを有効ラインに停止させるとともに、リプレイ以外の役に対応する図柄の組合せを有効ラインに停止させないように、リール３１の停止時の図柄の組合せを定めたものである。
【００６０】
また、移行役テーブルは、ＢＢ遊技の第１遊技において移行役の当選時に用いられ、リール３１の停止制御の範囲内において移行役に対応する図柄の組合せを有効ラインに停止させるとともに、移行役以外の役に対応する図柄の組合せを有効ラインに停止させないように、リール３１の停止時の図柄の組合せを定めたものである。
【００６１】
さらにまた、所定役テーブルは、所定役の当選時に用いられ、リール３１の停止制御の範囲内において所定役に対応する図柄の組合せを有効ラインに停止させるとともに、所定役以外の役に対応する図柄の組合せを有効ラインに停止させないように、リール３１の停止時の図柄の組合せを定めたものである。
さらに、非当選テーブルは、いずれかの役に対応する図柄の組合せが有効ラインに停止しないように、リール３１の停止時の図柄の組合せを定めたものである。
【００６２】
以上のように、リール停止制御手段６４は、いずれかの停止位置決定テーブル６５を用いて、いずれかの役に対応する図柄の組合せを有効ラインに停止させるときは、リール３１の停止制御の範囲内において、その役に対応する図柄の組合せを構成する図柄を有効ラインに停止させるように制御する。
【００６３】
（停止図柄判断手段）
停止図柄判断手段６６は、リール３１の停止時に、有効ラインに停止したリール３１の図柄の組合せが、いずれかの役に対応する図柄の組合せと一致するか否かを判断するものである。停止図柄判断手段６６は、例えばモータ３２の停止時の角度やステップ数等を検知することにより、有効ライン上の図柄を判断する。
【００６４】
なお、停止図柄判断手段６６は、リール３１が実際に停止してから図柄の組合せを判断するのではなく、ストップスイッチ４２が操作された瞬間のリール３１の位置から、停止位置決定テーブル６５によってリール３１の停止位置が定められた時点で、有効ライン上の図柄の組合せを判断することも可能である。
【００６５】
（入賞処理手段）
入賞処理手段６７は、停止図柄判断手段６６により、リール３１の停止時に有効ラインに停止した図柄の組合せがいずれかの役に対応する図柄の組合せと一致すると判断され、その役の入賞となったときに、その入賞役に応じて所定枚数のメダルを遊技者に対して払い出すか、又はクレジットの加算等の処理を行うものである。また、リプレイの入賞時は、メダルを払い出すことなく、当該遊技で投入されたメダル枚数を自動投入するように制御する。
【００６６】
（特別遊技制御手段）
特別遊技制御手段６８は、通常遊技から特別遊技（ＢＢ遊技又はＲＢ遊技）への移行、特別遊技中の遊技の進行、及び特別遊技から通常遊技への移行等を制御するものである。  先ず、特別遊技制御手段６８は、有効ラインに停止した図柄の組合せが特別役（ＢＢ又はＲＢ）に対応する図柄の組合せと一致し、特別役が入賞したことを条件として、通常遊技から特別遊技に移行するように制御する。
【００６７】
特別遊技制御手段６８は、ＢＢに対応する図柄の組合せが有効ラインに停止したときには、通常遊技からＢＢ遊技に移行させる。また、ＲＢに対応する図柄の組合せが有効ラインに停止したときには、通常遊技からＲＢ遊技に移行させる。さらにまた、特別遊技制御手段６８は、特別遊技への移行時には、特別遊技に移行する旨を遊技者に知らせる演出を行わせるために、演出制御手段６０ｂ側に特別遊技を開始する旨の情報を送信するように制御する。
【００６８】
また、特別遊技制御手段６８は、ＢＢ遊技及びＲＢ遊技中における遊技の進行を制御する。ＢＢ遊技においては、特別遊技制御手段６８は、最初に第１遊技を開始させる。この第１遊技は、通常遊技と同様に、３枚以内のメダルを投入して遊技を行うものである。この第１遊技で役抽選手段６１により抽選される役は、上述したように、小役１〜小役３及び移行役である。
【００６９】
また、特別遊技制御手段６８は、第１遊技中に、有効ラインに停止した図柄の組合せが、移行役の図柄の組合せと一致することを条件として、すなわち移行役の入賞を条件として、第１遊技から第２遊技に移行させる。
【００７０】
第２遊技に移行すると、特別遊技制御手段６８は、第２遊技中の遊技回数及び所定役の入賞回数をカウントする。第２遊技は、例えばメダルを１枚のみ投入可能とし、水平方向中段の有効ラインのみを有効化させ、この有効ラインに、例えば９９％程度の高確率で所定役に対応する図柄の組合せが停止するように制御される遊技である。そして、第２遊技は、その所定役の入賞回数が規定回数（例えば８回）に到達するか、又は遊技回数が規定回数（例えば１２回）に到達するまで継続される。この第２遊技の終了条件を満たすか否かの判断のため、特別遊技制御手段６８は、遊技回数及び所定役の入賞回数をカウントする。
【００７１】
そして、特別遊技制御手段６８は、第２遊技の遊技回数又は所定役の入賞回数が規定回数に到達したときに、その第２遊技を終了させて、ＢＢ遊技の終了条件を満たしていないことを条件として、再度、第１遊技に戻るように制御する。
【００７２】
ここで、ＢＢ遊技の終了条件は、ＢＢ遊技中のメダルの払出し枚数が所定枚数（本実施形態では４８０枚）に到達するまでと定められている。したがって、特別遊技制御手段６８は、ＢＢ遊技中に払い出されたメダル枚数をカウントし、所定枚数に到達したときは、ＢＢ遊技を終了させるように制御する。
【００７３】
また、ＲＢ遊技は、上記のＢＢ遊技での第２遊技を１セット、すなわち所定役に対応する図柄の組合せが高確率で有効ラインに停止する遊技を、規定入賞回数又は規定遊技回数に到達するまで行うものである。ＲＢ遊技においては、特別遊技制御手段６８は、遊技回数又は所定役の入賞回数をカウントし続ける。そして、遊技回数又は所定役の入賞回数が規定回数に到達したときのいずれか１つを満たすときは、特別遊技制御手段６８は、ＲＢ遊技の終了条件を満たすと判断する。
【００７４】
（抽選情報選択手段）
抽選情報選択手段６９は、役抽選手段６１による役の抽選結果の情報であって、演出制御手段６０ｂに送信する情報を選択するものである。ここで、役抽選手段６１でいずれかの役に当選したときや非当選時には、その情報そのもの（当選役自体）を送信するのではなく、役の抽選結果に対応して予め設けられている抽選情報を選択し、その抽選情報を送信する。
【００７５】
図３（ａ）は、役の抽選結果と、選択される抽選情報との関係を示す図である。抽選情報選択手段６９は、役抽選手段６１と同様に、０〜６５５３５の乱数を発生させ、抽出した乱数値に基づいて抽選情報を決定する。例えば非当選時には、６５０００／６５５３６の確率で抽選情報１を選択し、５３６／６５５３６の確率で抽選情報２を選択する。
【００７６】
図３（ａ）において、抽選情報１及び抽選情報２は、非当選に該当する抽選情報であり、抽選情報３は、小役１の当選に該当する抽選情報であり、抽選情報４は、小役２の当選に該当する抽選情報であり、抽選情報５は、小役３の当選に該当する抽選情報である。
また、抽選情報６は、リプレイの当選に該当する抽選情報であり、抽選情報７は、特別役の当選に該当する抽選情報である。
【００７７】
そして、小役１、小役２又は小役３の当選時は、それぞれ抽選情報３、抽選情報４又は抽選情報５が１００％の確率で選択される。また、ＢＢ又はＲＢの当選時は、抽選情報７が１００％の確率で選択される。これに対し、リプレイの当選時は、リプレイの当選に該当する抽選情報６の他、１／６５５３６の確率で、特別役の当選に該当する抽選情報７が選択される場合がある。すなわち、リプレイには当選したが、特別役には当選しなかったときでも、特別役の当選に該当する抽選情報７が選択される場合がある。
【００７８】
（遊技状態情報選択手段）
遊技状態情報選択手段７０は、特別役の当選が維持されているか否か（当選が持ち越されているか否か）を示す遊技状態情報を選択するものである。遊技状態情報選択手段７０は、抽選情報選択手段６９と同様に、０〜６５５３５の乱数を発生させ、抽出した乱数値に基づいて遊技状態情報を決定する。
【００７９】
図３（ｂ）は、遊技状態と、選択される遊技状態情報との関係を示す図である。本実施形態では、遊技状態情報として２つ設けられている。遊技状態情報１は、特別役の当選が維持されていない旨（特別役の非内部中）の遊技状態情報であり、遊技状態情報２は、特別役の当選が維持されている旨（特別役の内部中）の遊技状態情報である。
【００８０】
そして、図３（ｂ）に示すように、特別役の内部中のときは、１００％の確率で遊技状態情報２が選択される。
これに対し、特別役の非内部中のときは、６５５３５／６５５３６の確率で遊技状態情報１、すなわち特別役の当選が維持されていない旨の情報が選択されるが、１／６５５３６の確率で、遊技状態情報２、すなわち特別役の当選が維持されている旨の情報が選択される。
【００８１】
（情報送信手段）
情報送信手段７１は、毎遊技ごと、抽選情報選択手段６９で選択された抽選情報、及び遊技状態情報選択手段７０で選択された遊技状態情報を、演出制御手段６０ｂに送信するものである。なお、送信時期は、スタートスイッチ４１が操作された直後である。すなわち、スタートスイッチ４１の操作により役抽選手段６１による役の抽選が行われ、さらには抽選情報選択手段６９による抽選情報の選択、及び遊技状態情報選択手段７０による遊技状態情報の選択が行われるが、その直後に、選択された抽選情報及び遊技状態情報を演出制御手段６０ｂに送信する。
【００８２】
また、本実施形態の情報送信手段７１は、抽選情報及び遊技状態情報のみならず、スタートスイッチ４１が操作された旨の情報や、各ストップスイッチ４２が操作されたときにストップスイッチ４２が操作された旨の情報、さらには役の入賞時やメダルの払出しが行われたときにその旨の情報を送信する。
【００８３】
続いて、演出制御手段６０ｂ側の各手段について説明する。
（情報受信手段）
情報受信手段８１は、情報送信手段７１により送信されてくる抽選情報及び遊技状態情報を受信するものである。
演出制御手段６０ｂは、これらの受信した情報に基づいて、リール３１の回転開始時（スタートスイッチ４１の操作時）、各リール３１の停止時（各ストップスイッチ４２の操作時）等に、それぞれ、所定の演出を出力するように制御する。
なお、情報受信手段８１は、上述した情報送信手段７１で送信されたスタートスイッチ４１が操作された旨の情報やストップスイッチ４２が操作された旨の情報等についても併せて受信する。
【００８４】
（演出決定手段）
演出決定手段８２は、情報受信手段８１で受信した抽選情報及び遊技状態情報に基づいて、当該遊技で出力すべき演出を決定するものである。
また、出力すべき演出は、演出データテーブルに格納されており、この演出データテーブルの中から、適切な演出を選択することにより、演出を決定する。より具体的には、受信した抽選情報及び遊技状態情報に対応する１又は２以上の演出が予め定められており、この中から演出が選択されるとともに、各リール３１の停止時ごとに、停止した図柄の組合せに応じて演出が定められる。
【００８５】
本実施形態では、受信した抽選情報及び遊技状態情報から、以下のようにして演出を決定する。
先ず、抽選情報１又は抽選情報２を受信したときは、非当選に該当するように演出を決定する。また、抽選情報３、抽選情報４又は抽選情報５を受信したときは、それぞれ小役１、小役２又は小役３の当選に該当するように演出を決定する。さらにまた、抽選情報６を受信したときは、リプレイの当選に該当するように演出を決定する。
【００８６】
また、抽選情報１〜抽選情報６を受信したときは、送信されてきた遊技状態情報が遊技状態情報１又は遊技状態情報２のいずれであっても良い。受信した遊技状態情報が遊技状態情報１であるときは、特別役の非内部中であると判断することができる。したがって、特別役の非内部中であって、かつ各役の当選時又は非当選に該当する演出に決定される。また、受信した遊技状態情報が遊技状態情報２であるときは、特別役の内部中であると判断することができる。したがって、特別役の内部中であって、かつ各役の当選時又は非当選に該当する演出に決定される。
【００８７】
ただし、一旦遊技状態情報２を受信したときは、特別役が入賞するまで、毎遊技、遊技状態情報２を受信し続けるのが当然である。一旦特別役の内部中となったときは、特別役が入賞するまでその内部中の状態が維持されるからである。したがって、１遊技だけ遊技状態情報２を受信したとき、すなわち遊技状態情報２を受信した後、次遊技で遊技状態情報１を受信したときは、受信した遊技状態情報２は、正しくない遊技状態情報であったと判断することができる。
【００８８】
さらにまた、抽選情報７を受信したときは、以下のように演出を決定する。
先ず、抽選情報７と遊技状態情報２とを受信したときは、抽選情報と遊技状態情報とが対応する（合致する）。すなわち、抽選情報７は特別役の当選に該当するものであり、遊技状態情報２は、特別役の当選を維持している旨（内部中である旨）の情報だからである。よって、この場合には、特別役に当選していると判断し、特別役の当選に該当するように演出を決定する。
【００８９】
これに対し、抽選情報７及び遊技状態情報１を受信したときは、抽選情報と遊技状態情報とが対応しない（合致しない）。すなわち、抽選情報７は特別役の当選に該当するものであるが、遊技状態情報１は、特別役の当選を維持していない旨（非内部中である旨）の情報だからである。そこで、この場合には、遊技状態情報の方が正しいと判断する。すなわち、抽選情報７は、特別役の当選には該当せず、リプレイの当選に該当する情報である（１／６５５３６で選択された抽選情報である）と判断する。
このように判断するのは、遊技状態情報１が選択される確率は、６５５３５／６５５３６であり、信頼性が高いからである。
【００９０】
以上のように抽選情報及び遊技状態情報から当選役を判断すれば、きわめて精度の高い判断を行うことができる。すなわち、リプレイの当選時に抽選情報７が１／６５５３６の確率で選択されるとともに、遊技状態情報２が１／６５５３６の確率で選択されたとき、つまり１／６５５３６×１／６５５３６のレアケースとなれば、正しい判断ができないが、それ以外であれば、抽選情報及び遊技状態情報から当選役を正しく判断することができる。
このようにして、抽選情報のみならず、遊技状態情報も参照して当選役を判断すれば、より正確な判断を行うことができる。
【００９１】
（演出出力手段）
演出出力手段８３は、演出決定手段８２の決定結果に基づいて、所定のタイミングで、上述した演出出力機器（ランプ２１、スピーカ２２、及び画像表示装置２３）からの演出の出力を制御するものである。
【００９２】
演出決定手段８２により、遊技の進行に伴って、どのようなタイミングで（スタートスイッチ４１の操作時や各ストップスイッチ４２の操作時等）、どのような演出を出力するか（ランプ２１をどのように点灯、点滅又は消灯させるか、スピーカ２２からどのようなサウンドを出力するか、及び画像表示装置２３にどのような画像を表示させるか等）が定められる。
【００９３】
例えば、演出の１つには、スタートスイッチ４１が操作されたときに、特定のサウンドをスピーカ２２から出力し、３番目のストップスイッチ４２が操作されたときに、特定のパターンでランプ２１（バックランプ）を点滅させるとともに、各リール３１の停止時ごとに、画像表示装置２３に特定の画像を表示させる、と定められている。
したがって、演出出力手段８３は、この定めに従い、演出を出力する。
【００９４】
続いて、本実施形態における制御の流れを、フローチャートに基づき説明する。
図４は、遊技制御手段６０ａによる制御の流れを示すフローチャートである。
先ず、ステップＳ１１において、遊技制御手段６０ａは、メダルが投入されたか否かを検知し続ける。ベットスイッチ４０が操作される等、メダルの投入が検知されたときは、ステップＳ１２に進む。ステップＳ１２では、遊技制御手段６０ａは、スタートスイッチ４１がオンされたか否かを検知し続ける。そして、オンが検知されたときは有効ラインを確定するともに全てのリール３１を回転させ、ステップＳ１３に進む。
【００９５】
ステップＳ１３では、役抽選手段６１は、役の抽選を行う。なお、ここでの役の抽選で特別役に当選したときは、当該遊技から内部中の遊技となり、特別役に係る当選フラグがオンにされる。
次にステップＳ１４に進み、抽選情報選択手段６９は、ステップＳ１３での役の抽選結果に対応する抽選情報を選択する。さらに次のステップＳ１５では、遊技状態情報選択手段７０は、特別役の内部中であるか否かに基づいて遊技状態情報を選択する。次にステップＳ１６に進み、情報送信手段７１は、ステップＳ１４で選択した抽選情報及びステップＳ１５で選択した遊技状態情報を演出制御手段６０ｂに送信する。
【００９６】
次のステップＳ１７では、遊技制御手段６０ａは、ストップスイッチ４２がオンされたか否かを判別し続ける。そして、ストップスイッチ４２がオンされたと判別したときはステップＳ１８に進み、リール停止制御手段６４は、モータ３２を駆動制御して、オンされたストップスイッチ４２に対応するリール３１の停止制御を行う。
【００９７】
次にステップＳ１９に進み、情報送信手段７１は、ステップＳ１７でのストップスイッチ４２が操作された旨の情報（操作情報）を演出制御手段６０ｂに送信する。次にステップＳ２０に進み、遊技制御手段６０ａは、全てのリール３１が停止したか否かを判別し、停止したと判別したときはステップＳ２１に進む。一方、全てのリール３１が未だ停止していないと判別したときは、ステップＳ１７に戻る。
【００９８】
ステップＳ２１では、停止図柄判断手段６６は、いずれかの役が入賞したか否か（いずれかの役に対応する図柄の組合せが有効ラインに停止したか否か）を判断し、入賞したと判断したときはステップＳ２２に進む。一方、入賞していないと判断したときは本フローチャートによる処理を終了する。ステップＳ２２では、入賞処理手段６７は、その入賞役に応じた払出し処理を行う。例えばいずれかの小役が入賞したときは、入賞した小役に対応する枚数のメダルの払出しを行い、リプレイの入賞時は、当該遊技で投入されたメダル枚数を自動投入する処理を行う。そして本フローチャートによる処理を終了する。
【００９９】
図５は、演出制御手段６０ｂによる制御の流れを示すフローチャートである。
先ず、ステップＳ３１において、演出制御手段６０ｂは、情報受信手段８１により抽選情報及び遊技状態情報を受信したか否かを検知し続ける。上述した図４のステップＳ１６で抽選情報及び遊技状態情報が送信されると、ステップＳ３１において抽選情報及び遊技状態情報を受信する。抽選情報及び遊技状態情報の受信が検知されると、ステップＳ３２に進み、演出決定手段８２は、受信した抽選情報と遊技状態情報とに基づいて演出を決定するとともに、演出出力手段８３は、決定された演出に従い、リール３１の回転開始時の演出があるときはその演出を出力するように制御する。
【０１００】
次のステップＳ３３では、情報受信手段８１は、ストップスイッチ４２が操作された旨の情報（操作情報）を受信したか否かを判別し続ける。上述した図４のステップＳ１９で操作情報が送信されると、ステップＳ３３において操作情報を受信する。操作情報を受信したときと判別されたときはステップＳ３４に進み、ステップＳ３２において当該ストップスイッチ４２の操作時に出力すべき演出が決定されているときは、その演出を出力するように制御する。次にステップＳ３５に進み、演出制御手段６０ｂは、全ての（３つ全ての）操作情報を受信したか否かを判別する。
全ての操作情報を受信したと判別したときは本フローチャートによる処理を終了し、未だ全てのリール３１が停止していないと判別されたときはステップＳ３３に戻る。
【０１０１】
以上、本発明の一実施態様について説明したが、本発明は、上述した実施形態に限定されることなく、例えば、以下のような種種の変形が可能である。
（１）本実施形態では遊技媒体としてメダルを用いたが、例えば遊技球等、メダル以外の遊技媒体を用いるスロットマシンであっても本発明を適用することができる。
（２）本実施形態では、抽選情報や遊技状態情報を受信した当該遊技での演出を決定したが、当該遊技以降の演出（例えば複数遊技にわたって出力する連続演出等）を決定するようにしても良い。
【０１０２】
（３）本実施形態では、リプレイの当選時のみ、１／６５５３６の確率で当選役に該当しない抽選情報が選択されるようにした。しかし、リプレイに限らず、他の小役であっても良い。また、当選役に該当しない抽選情報が選択される確率としては、本実施形態では１／６５５３６としたが、これに限らず、当選役に該当する抽選情報が選択される確率より低い確率であれば良い。
【０１０３】
なお、以上は、遊技状態情報についても同様であり、特別役の当選が維持されていないときに、特別役の当選が維持されていない旨の情報が、特別役の当選が維持されている旨の情報よりも高い確率で選択されるようにすれば良い。
【０１０４】
（４）本実施形態では、ＢＢ又はＲＢの内部中の遊技状態情報として、１種類（遊技状態情報２）のみを例示したが、特別役の種類ごとに遊技状態情報を分けて設けても良い。例えば、ＢＢの内部中に選択される遊技状態情報を遊技状態情報２とし、ＲＢの内部中に選択される遊技状態情報を遊技状態情報３としても良い。
また、ＢＢ遊技中やＲＢ遊技中に、それぞれ当該遊技がＢＢ遊技中やＲＢ遊技中であることを示す遊技状態情報を演出制御手段６０ｂ側に送信するようにしても良い。
【図面の簡単な説明】
【０１０５】
【図１】本実施形態におけるスロットマシンの制御の概略を示すブロック図である。
【図２】本実施形態における役の種類、当選確率、図柄の組合せ及び払出し枚数等を示す図である。
【図３】（ａ）は、役の抽選結果と選択される抽選情報との関係を示す図であり、（ｂ）は、実際の遊技状態と、選択される遊技状態情報との関係を示す図である。
【図４】遊技制御手段による制御の流れを示すフローチャートである。
【図５】演出制御手段による制御の流れを示すフローチャートである。
【符号の説明】
【０１０６】
１０  スロットマシン
２１  ランプ
２２  スピーカ
２３  画像表示装置
３１  リール
３２  モータ
４０  ベットスイッチ
４１  スタートスイッチ
４２  ストップスイッチ
６０ａ  遊技制御手段
６０ｂ  演出制御手段
６１  役抽選手段
６２  役抽選テーブル
６３  特別役当選維持手段
６４  リール停止制御手段
６５  停止位置決定テーブル
６６  停止図柄判断手段
６７  入賞処理手段
６８  特別遊技制御手段
６９  抽選情報選択手段
７０  遊技状態情報選択手段
７１  情報送信手段
８１  情報受信手段
８２  演出決定手段
８３  演出出力手段
【図１】
2006122487.tif 000003
【図２】
2006122487.tif 000004
【図３】
2006122487.tif 000005
【図４】
2006122487.tif 000006
【図５】
2006122487.tif 000007